(57)【要約】      （修正有）【課題】ルーター、モデム等の機器を、電源タップ及び電源ケーブル等の配線類と共に見栄え良く収納するための機器収納ケースを提供する。【解決手段】ケース本体１と開閉蓋２と棚板５を有し、ケース本体１の対向内壁面に複数の棚受けダボ支持体を備え、複数の棚受けダボ支持体のうち、ケース本体１の底面と平行に備えられた所定数の棚受けダボ支持体に突設された棚受けダボ上に棚板５を載置する。開閉蓋２は、枠部３と開閉部４を備え、枠部３は保持部を備え、保持部に備えた孔部と、開閉部４の対向する側面の端部付近に設けた孔部に、支持ピンを回転可能に挿入して、開閉部４を枠部３内に開閉回動可能に保持し、枠部３に備えた保持部をケース本体１内に嵌合して、開閉蓋２をケース本体１に載置する。【選択図】図１
0003181781.tif 000002
【実用新案登録請求の範囲】
【請求項１】
ケース本体と開閉蓋と棚板を有し、
前記ケース本体の対向内壁面に複数の棚受けダボ支持体を備え、前記複数の棚受けダボ支持体のうち、前記ケース本体の底面と平行に備えられた所定数の前記棚受けダボ支持体に突設された棚受けダボ上に前記棚板を載置し、
前記開閉蓋は、枠部と開閉部を備え、
前記枠部は保持部を備え、当該保持部に備えた孔部と、前記開閉部の対向する側面の端部付近に設けた孔部に、支持ピンを回転可能に挿入して、前記開閉部を前記枠部内に開閉回動可能に保持し、
前記枠部に備えた前記保持部をケース本体内に嵌合して、前記開閉蓋を前記ケース本体に載置するよう構成することを特徴とする機器収納ケース。
【請求項２】
前記棚板の一辺の一部に切欠き部を備え、
前記開閉部の開口辺の一部に切欠き部を備えることを特徴とする請求項１に記載の機器収納ケース。
【請求項３】
前記ケース本体の側面、底面の少なくともいずれか一の面の一部に窓部を備えることを特徴とする請求項１又は２に記載の機器収納ケース。
【考案の詳細な説明】
【技術分野】
【０００１】
本考案は、ルーター、モデム等の機器を収納するための機器収納ケースに関し、特に電源タップ及び電源ケーブルを収納することができる機器収納ケースに関する。
【背景技術】
【０００２】
近年の一般家庭やオフィスにおいて、インターネットやＬＡＮに接続するための通信機器（ルーター、モデム、ターミナルアダプター、無線アクセスポイント、セーフティ対応機器、ＶＤＳＬ装置、ＩＰ電話対応機器、ＨＵＢ等）を設置する際、その機器類と共に電源コード及びネットワーク通信配線ケーブル等の配線を繋いだ状態で設置することがある。しかし、機器及び配線が多くなると、複数の配線が複雑に絡み合い美観を損ねる。しかも、埃が溜まりやすく掃除もしにくくなる。そのため、これらの機器及び配線を埃から守りつつ、まとめて収納するための函形の収納ケースがある。なお、本考案に関して記載すべき先行技術文献はない。出願人が知っている先行技術は文献公知発明に係るものではないからである。
【考案の概要】
【考案が解決しようとする課題】
【０００３】
従来からある収納ケースは、単純な函形の筐体のみから成るものであり、内部では、やはり、電源コード及び配線ケーブルが絡まったまま収納されているという問題がある。また、機器ごとに配線の長さが異なることや、家庭用コンセントには数に限りがあることから、収納ケースの周辺に載置した電源タップに複数の機器のプラグが繋がれた状態となり、電源タップ周辺の煩雑さは解決されていないという問題がある。
【０００４】
本考案の目的は、このような問題等に鑑みて、ルーター、モデム等の機器を、電源タップ及び電源ケーブル等の配線類と共に見栄え良く収納するための機器収納ケースを提供することにある。
【課題を解決するための手段】
【０００５】
本考案の機器収納ケースは、ケース本体と開閉蓋と棚板を有し、前記ケース本体の対向内壁面に複数の棚受けダボ支持体を備え、前記複数の棚受けダボ支持体のうち、前記ケース本体の底面と平行に備えられた所定数の前記棚受けダボ支持体に突設された棚受けダボ上に前記棚板を載置し、前記開閉蓋は、枠部と開閉部を備え、前記枠部は保持部を備え、当該保持部に備えた孔部と、前記開閉部の対向する側面の端部付近に設けた孔部に、支持ピンを回転可能に挿入して、前記開閉部を前記枠部内に開閉回動可能に保持し、前記枠部に備えた前記保持部をケース本体内に嵌合して、前記開閉蓋を前記ケース本体に載置するよう構成する。
【０００６】
前記棚板の一辺の一部に切欠き部を備え、前記開閉部の開口辺の一部に切欠き部を備えるよう構成してもよい。
【０００７】
前記ケース本体の側面、底面の少なくともいずれか一の面の一部に窓部を備えるよう構成してもよい。
【考案の効果】
【０００８】
本考案の機器収納ケースによれば、ルーター、モデム等の機器を、電源タップ及び電源ケーブル等の配線類と共に見栄え良く収納することができる。また、開閉部が開閉回動可能な状態で開閉蓋をケース本体に安定して載置させることができる。さらに、ケース本体内に棚板を載置したので、電源タップ等を棚板上に収納でき、ごみや埃が溜まりにくく、感電や火災などの心配も不要になる。
【図面の簡単な説明】
【０００９】
【図１】本実施形態による機器収納ケースの斜視図である。
【図２】本実施形態による機器収納ケースの平面図である。
【図３】本実施形態による機器収納ケースの正面図である。
【図４】本実施形態による機器収納ケースの底面図である。
【図５】本実施形態による機器収納ケースの左側面図である。
【図６】本実施形態による機器収納ケースの右側面図である。
【図７】枠部３の斜視図であり、図７（Ａ）は枠部３を表面から観察した図であり、図７（Ｂ）は枠部３を裏面から観察した図である。
【図８】開閉部４の裏面からの斜視図である。
【図９】（Ａ）は開閉部４を閉じた状態の開閉蓋２を示す図であり、（Ｂ）は開閉部４を開いた状態の開閉蓋２を示す図であり、（Ｃ）は開閉部４を更に開いた状態の開閉蓋２を示す図である。
【図１０】ケース本体１の平面側からの斜視図である。
【図１１】棚板５の平面図である。
【図１２】機器収納ケース１０の斜視図である。
【図１３】ケース本体１の底面側からの斜視図である。
【図１４】他の収納ケース２０の斜視図である。
【図１５】他の収納ケース３０の斜視図である。
【図１６】開閉蓋３２の裏面からの斜視図である。
【図１７】アクリル樹脂製の機器収納ケース４０の斜視図である。
【考案を実施するための形態】
【００１０】
図１は本実施形態による機器収納ケースの斜視図、図２は本実施形態による機器収納ケースの平面図、図３は実施形態による機器収納ケースの正面図、図４は本実施形態による機器収納ケースの底面図、図５は本実施形態による機器収納ケースの左側面図、図６は本実施形態による機器収納ケースの右側面図である。背面図は正面図の可視部分の形（破線で示した見えない部分の形（カクレ線）を除く）と同様であるため記載を省略する。なお、本実施形態ではＭＤＦ(medium density fiberboard)を材料とした機器収納ケースについて図面を用いて説明する。
【００１１】
本実施形態の機器収納ケース１０は、ケース本体１と、ケース本体１の平面側（図１において上側）に開閉する開閉蓋２と、ケース本体１の内部に載置される棚板５を備えている。
【００１２】
開閉蓋２は、ケース本体１の平面側に開閉可能に配置されている。開閉蓋２は、枠部３と開閉部４を備えている。図７は、枠部３の斜視図であり、図７（Ａ）は、枠部３を表面から観察した図であり、図７（Ｂ）は、枠部３を裏面から観察した図である。図８は、開閉部４の裏面からの斜視図である。なお、表面とは、開閉蓋２をケース本体１に載置した際に機器収納ケース１０の外側から観察できる面を言い、裏面とは、開閉蓋２をケース本体１に載置した際に機器収納ケース１０の内側に位置する面を言う。枠部３は、裏面の対向する両辺に保持部３ａを備える。枠部３をケース本体１上に載置した際に、保持部３ａがケース本体１内に嵌め合せられるように構成されている。これにより、枠部３をケース本体１に対してずれることなく安定して載置することができる。
【００１３】
保持部３ａは、支持ピン６を回転可能に挿入する孔部３ｂを備える。また、開閉部４の対向する側面４ｃ、側面４ｄの端部にも、上記支持ピン６を回転可能に挿入する孔部４ｂが形成された回転支持部４ａを夫々備える。保持部３ａに備える孔部３ｂと、開閉部４に備える孔部４ｂに支持ピン６を回転可能に挿入する。このような構成により、開閉部４を枠部３に対して支持ピン６を軸として回転自在に保持することができる。図９（Ａ）は開閉部４を閉じた状態の開閉蓋２を示す図であり、図９（Ｂ）は開閉部４を開いた状態の開閉蓋２を示す図であり、図９（Ｃ）は開閉部４を図９（Ｂ）よりも更に開いた状態の開閉蓋２を示す図である。開閉部４は開口辺の一部に切欠き部４ｅを備える。ユーザが開閉蓋２を開閉する際には、切欠き部４ｅから手を差込み、開閉部４を把持して、開閉を簡単に行うことができる。
【００１４】
ケース本体１は、内部にルーター、モデム等の機器、電源タップ及び電源ケーブルを収納する。ケース本体１は、側面、底面の少なくともいずれか一の面の一部に窓部を有する。図１０はケース本体１の平面側からの斜視図である。図１０に示す例では、ケース本体１の底面及び両側面に窓部を備える。具体的には、底面に窓部１１及び窓部１２を、左側面に窓部１３を、右側面に窓部１４を、それぞれ備える。これら窓部により、通気性が向上し、機器収納ケース１０内部の放熱性を向上させることができる。
【００１５】
上述した開閉蓋２の枠部３は、ケース本体１の上部端面１５に載置して構成される。また、ケース本体１の両側面に備えた窓部１３、窓部１４は、内部に収納する機器のインジケータを外部から確認するためののぞき窓として有効に利用できる。さらに、内部に収納する電源タップ又は機器に電源を供給するための電源ケーブルの経路として、又は、内部に収納する機器又は電源タップから外部に設置された他の機器へ接続するケーブル等の配線類の経路としても有効に利用できる。
【００１６】
ケース本体１は、対抗する内壁面に棚受けダボ支持体（以下、単にダボ支持体と言う）を備える。図１〜図６に示す例では、左側面及び右側面に高さが異なるダボ支持体１６ａ〜１６ｌを備える。棚受けダボ７はダボ支持体１６ａ〜１６ｌに対して着脱可能である。ケース本体１の底面と平行に備えた所定数のダボ支持体に棚受けダボ７を内嵌して突設し、突設した棚受けダボ７上に棚板５を載置する。
【００１７】
図１〜図６に示す例では、両側面に備えた４つのダボ支持体に棚受けダボ７を突設して棚板５を水平に支えるよう構成した例である。左側面に備えたダボ支持体１６ａ、１６ｂ及び右側面に備えたダボ支持体１６ｇ、１６ｈの４つのダボ支持体は、ケース本体１の底面から全て同じ高さに備えられており、左側面に備えたダボ支持体１６ｃ、１６ｄ及び右側面に備えたダボ支持体１６ｉ、１６ｊの４つのダボ支持体は、ケース本体１の底面と平行に備えられており、左側面に備えたダボ支持体１６ｅ、１６ｆ及び右側面に備えたダボ支持体１６ｋ、１６ｌの４つのダボ支持体は、ケース本体１の底面から全て同じ高さに備えられている。ユーザの好みの高さに備えられた４つのダボ支持体を選び、ユーザが各ダボ支持体に夫々棚受けダボ７を取り付け、棚受けダボ７上に棚板５を載置させることにより、棚板５をユーザの好みの高さで設置させることができる。本実施形態では、図３に示すように、ダボ支持体１６ａ、１６ｂ、１６ｇ、１６ｅに棚受けダボ７を突設して棚板５を載置する例を図示した。なお、図１等では図示の複雑化を防止するため棚受けダボ７を省略する。
【００１８】
図１１は棚板５の平面図である。棚板５は一辺の一部に切欠き部５ａを備える。切欠き部５ａから手を差込み、棚板５を把持して、棚板５の設置及び取り外しを簡単に行うことができる。棚板５には例えば、電源タップを載置して収納することができる。電源タップにプラグを差し込み、棚板５の切欠き部５ａから下に収納されている機器へ電源ケーブルを引き込むこともできる。本実施形態では、ケース本体１の底面から平面までの高さの中央部より平面側にダボ支持体を備えた。これにより、棚板５をケース本体１の平面側に設置可能に構成することができる。したがって、ケース本体１に開閉蓋２を載置後であっても、開閉部４を開けるだけで、棚板５上に収納された物の確認、調整ができる。例えば、棚板５上に電源タップが収納されている場合には、電源タップの電源のオン・オフや電源タップへのプラグの抜き差しを簡単に行うことができる。図１２は、開閉部４を半分程度開けた状態の機器収納ケース１０の斜視図である。棚板５に携帯電話等が収納されている場合には、例えば、図１２に図示する程度、開閉部４を開けるだけで着信、メールの確認等を簡単に行うことができる。
【００１９】
図１３は、ケース本体１の底面側からの斜視図である。ケース本体１の底面の四隅に脚部を立設する。これにより、機器収納ケース１０の底面が設置面から浮いた状態で、機器収納ケース１０を設置させることができる。よって、機器収納ケース１０の底面周辺において通気性を確保することができ、機器収納ケース１０内部の放熱性を向上させることができる。
【００２０】
以上説明したように、本実施形態による機器収納ケース１０によれば、ケース本体１と開閉蓋２と棚板５を有し、ケース本体１の対向内壁面に複数の棚受けダボ支持体１６ａ〜１６ｌを備え、複数の棚受けダボ支持体１６ａ〜１６ｌのうち、ケース本体１の底面と平行に備えられた所定数のダボ支持体に突設された棚受けダボ７上に棚板５を載置し、開閉蓋２は枠部３と開閉部４を備え、枠部３は保持部３ａを備え、保持部３ａに備えた孔部３ｂと、開閉部４の対向する側面４ｃ、４ｄの端部に設けた孔部４ｂに、支持ピン６を回転可能に挿入して、開閉部４を枠部３内に開閉回動可能に保持し、枠部３に備えた保持部３ａをケース本体１内に嵌合して、開閉蓋２をケース本体１に載置するよう構成した。これにより、ルーター、モデム等の機器を、電源タップ及び電源ケーブル等の配線類と共に見栄え良く収納することができる。また、開閉部４が開閉回動可能な状態で開閉蓋２をケース本体１に安定して載置させることができる。さらに、ケース本体１内に棚板５を載置したので、電源タップ等を棚板５上に収納でき、ごみや埃が溜まりにくく、感電や火災などの心配も不要になる。
【００２１】
また、棚板５の一辺の一部に切欠き部５ａを備え、開閉部４の開口辺の一部に切欠き部４ｅを備えたので、棚板５の載置及び開閉部４の開閉を容易に行うことができる。また、切欠き部５ａ等を介してコードやケーブルを取り込み、引き出しすることもできる。なお、切欠き部５ａの場所は、本実施形態の例に限定されない。例えば、棚板５の対向する両側辺に切欠き部を備えてもよく、棚受けダボ７に棚板５を安定載置可能な状態であれば、全ての面に切欠き部を備えてもよい。下に収納する機器からコードやケーブルを棚板５上に引き出し易く構成することができる。
【００２２】
さらに、ケース本体１の側面、底面の少なくともいずれか一の面の一部に窓部１１〜１４を備えた。これにより、通気性が向上し、機器収納ケース１０内部の放熱性を向上させることができる。さらに、内部に収納する機器のインジケータを外部から確認するためののぞき窓として利用できる。さらに、内部に収納する電源タップに電源を供給するための電源ケーブルの経路として、又、内部に収納する機器から外部に設置された他の機器へ接続されるケーブルの経路としても利用できる。
【００２３】
上述した実施形態では、一枚の棚板５を設けた場合を例に説明したが、全てのダボ支持体に棚受けダボ７を取り付けて棚板５を複数段実装させてもよい。本実施形態の機器収納ケース１０の場合、ダボ支持体１６ａ〜１６ｌに棚受けダボ７を取り付けて、棚板５を３段実装させることができる。
【００２４】
応用例として、機器収納ケース１０上に他のケースを組み合わせて使用することも可能である。図１４は、他の収納ケース２０の斜視図である。他の収納ケース２０は、機器収納ケース１０の構成のうち、棚板５の構成（棚板５、ダボ支持体１６、棚受けダボ７）を除いて、よりシンプルに構成した収納ケースである。他の収納ケース２０は、ケース本体２１と開閉蓋２２を有する。ケース本体２１の構成はケース本体１と同様であり、開閉蓋２２の構成は開閉蓋２の構成と同様のため説明を省略する。
【００２５】
図１５は、他の収納ケース３０の斜視図である。他の収納ケース３０は、機器収納ケース１０の構成のうち、棚板５の構成（棚板５、ダボ支持体１６、棚受けダボ７）、窓部１１〜１４の構成を除いてよりシンプルに構成した収納ケースである。他の収納ケース３０は、ケース本体３１と開閉蓋３２を有する。図１６は、開閉蓋３２の裏面からの斜視図である。開閉蓋３２は保持部３２ａを備え、保持部３２ａをケース本体３１内に着脱可能に嵌合して構成する。ケース本体３１のその他の構成は、上述したケース本体１の構成と同様のため説明を省略する。
【００２６】
他の収納ケース２０と他の収納ケース３０の奥行き（対向する両側面の長さ）を機器収納ケース１０と同一の長さに構成すれば、機器収納ケース１０上に他の収納ケース２０、他の収納ケース３０を積み重ねることができる。これらのケースを組み合わせた場合であっても、各ケース１０、２０、３０の正面、背面を装飾や段差のない一枚の面（つら）として構成でき、シンプルでデザイン性の高い収納ケースを実現できる。
【００２７】
なお、機器収納ケース１０、他の収納ケース２０、３０を構成する材料は、ＭＤＦ(Ｍｅｄｉｕｍ
Ｄｅｎｓｉｔｙ Ｆｉｂｅｒｂｏａｒｄ)、アクリル樹脂等である。図１７はアクリル樹脂製の機器収納ケース４０の斜視図である。図１に示したＭＤＦを材料とした機器収納ケース１０と比べて、より肉薄かつシンプルで、耐衝撃性が高いケースを提供することができる。
【００２８】
本考案の適用範囲は上記実施形態に限定されることはない。本考案は、内部に機器を収納する機器収納ケースに対し、広く適用することができる。
【符号の説明】
【００２９】
１０  機器収納ケース
１  ケース本体
２  開閉蓋
３  枠部        ３ａ  保持部、３ｂ  孔部
４  開閉部      ４ｂ  孔部、４ｅ  切欠き部
５  棚板      ５ａ  切欠き部
６  支持ピン
７  棚受けダボ
１１〜１４  窓部
１６ａ〜１６ｌ  ダボ支持体（棚受けダボ支持体）
【図１】
0003181781.tif 000003
【図２】
0003181781.tif 000004
【図３】
0003181781.tif 000005
【図４】
0003181781.tif 000006
【図５】
0003181781.tif 000007
【図６】
0003181781.tif 000008
【図７】
0003181781.tif 000009
【図８】
0003181781.tif 000010
【図９】
0003181781.tif 000011
【図１０】
0003181781.tif 000012
【図１１】
0003181781.tif 000013
【図１２】
0003181781.tif 000014
【図１３】
0003181781.tif 000015
【図１４】
0003181781.tif 000016
【図１５】
0003181781.tif 000017
【図１６】
0003181781.tif 000018
【図１７】
0003181781.tif 000019